(57)【要約】【課題】飼育水槽で飼育される微細な介類浮遊幼生を、断続あるいは連続での注水による換水を行いながら飼育可能な介類浮遊幼生飼育用換水装置を提供する。【解決手段】飼育水の給水路２を備え浮遊期に餌を摂取して成長する介類浮遊幼生の飼育水槽１に、飼育水中の吸入排水口３１の開放面３１ａが飼育水槽の下向き方向に開口し飼育水槽１内の飼育水を上向きに排出するサイホン排水路３を設け、吸入排水口３１を下向きに拡開する漏斗状に形成し、介類浮遊幼生よりも小さく吸入しない開口径の通水孔６１が複数形成された通水部材６を開放面３１ａに取り付け、サイホン排水路３の下流排水口３２を上向きに形成し、サイホンの原理に基づき、飼育水槽１内の飼育水を下流排水口３２から適量排水し、断続あるいは連続での換水を行いながら飼育する。【選択図】        図１
2016182073.tif 000002
【特許請求の範囲】
【請求項１】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出する排水路を設け、介類浮遊幼生よりも小さく吸入しない開口径の通水孔が複数形成された通水部材を排水路の吸入排水口の開放面に取り付け、断続あるいは連続での換水を行いながら飼育することを特徴とする介類浮遊幼生飼育用換水装置。
【請求項２】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出する排水路を設け、排水路の吸入排水口を下向きに拡開する漏斗状に形成し、介類浮遊幼生よりも小さく吸入しない開口径の通水孔が複数形成された通水部材を下向きに拡開する漏斗状の排水路の吸入排水口の開放面に取り付け、断続あるいは連続での換水を行いながら飼育することを特徴とする介類浮遊幼生飼育用換水装置。
【請求項３】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口の高さ調整を通じてサイホンの原理に基づき、飼育水槽内の飼育水をサイホン排水路の下流排水口から適量排水し、断続あるいは連続での換水を行いながら飼育することを特徴とする介類浮遊幼生飼育用換水装置。
【請求項４】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする介類浮遊幼生飼育用換水装置。
【請求項５】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口の高さ調整を通じてサイホンの原理に基づき、飼育水槽内の飼育水をサイホン排水路の下流排水口から適量排水し、断続あるいは連続での換水を行いながら飼育することを特徴とする介類浮遊幼生飼育用換水装置。
【請求項６】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする介類浮遊幼生飼育用換水装置。
【請求項７】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位の高さ調整を通じてサイホンの原理に基づき、飼育水槽内の飼育水をサイホン排水路の下流排水口から適量排水し、断続あるいは連続での換水を行いながら飼育することを特徴とする介類浮遊幼生飼育用換水装置。
【請求項８】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする介類浮遊幼生飼育用換水装置。
【請求項９】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位の高さ調整を通じてサイホンの原理に基づき、飼育水槽内の飼育水をサイホン排水路の下流排水口から適量排水し、断続あるいは連続での換水を行いながら飼育することを特徴とする介類浮遊幼生飼育用換水装置。
【請求項１０】
飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする介類浮遊幼生飼育用換水装置。
【請求項１１】
吸入排水口は飼育水槽の下部側に設置される請求項１〜請求項１０の何れかに記載の介類浮遊幼生飼育用換水装置。
【請求項１２】
介類浮遊幼生の成長に応じて通水部材に複数形成された通水孔の開口径は変更される請求項１〜請求項１０の何れかに記載の介類浮遊幼生飼育用換水装置。
【発明の詳細な説明】
【技術分野】
【０００１】
本発明は、二枚貝（カキ類、アカガイ類、タイラギ、アサリ，ハマグリなど）および棘皮動物（ウニ類，ナマコ類）の浮遊期に餌を摂取して成長する介類浮遊幼生の飼育において、生残向上・斃死軽減に効果のある介類浮遊幼生飼育用換水装置に関する。
【背景技術】
【０００２】
二枚貝類の浮遊幼生期は、摂餌しながら初期のＤ型期を経過して消化器官の完成した殻頂期（アンボ期）浮遊幼生に成長し、一定の大きさに成長すると変態を行なって成貝と同じ形態になって浮遊生活から底棲生活に移行する。同様の浮遊期を持つ棘皮動物浮遊幼生、例えばナマコ類では、アウリクラリア期と呼ばれる浮遊幼生期に摂餌を行ないながら成長し、過渡期の浮遊幼生形態であるドリオラリア幼生を経て底棲生活を行なうペンタクチュラ幼生となり成体のナマコへ成長する。介類の種苗生産では浮遊幼生期の飼育成績が生産の成否を決めるため、これまでの介類浮遊幼生の飼育においては、生残・成長を良好に保つために餌料となる微細藻類種の検討や添加栄養剤の検討、あるいは飼育装置の改良や飼育水の管理技術の検討が行なわれてきた。
【発明の概要】
【発明が解決しようとする課題】
【０００３】
しかし、微細な浮遊幼生に対して、容易には魚類稚魚のように飼育水を交換しながら飼育することができず、主に止水中に浮遊幼生を収容し、飼育水を撹拌循環させて飼育する方法が取られている。このため、飼育水の悪化を生じやすく大量斃死などの要因となって安定的な種苗生産に支障をきたしている。
微細な浮遊幼生が浮遊する飼育水を連続的に換水すると、浮遊する幼生の遊泳力が脆弱であるため排水部分に吸着して斃死する。発明者は排水方法を検討した結果、断続あるいは連続での注水による換水を行なっても浮遊する微細な浮遊幼生の吸着を押さえ、実用的な飼育が可能な形状および使用方法を発案した。
【０００４】
本発明は、上記のような課題に鑑み、その課題を解決すべく創案されたものであって、その目的とするところは、飼育水槽で飼育される微細な介類浮遊幼生を、断続あるいは連続での注水による換水を行いながら飼育可能な介類浮遊幼生飼育用換水装置を提供することにある。
【課題を解決するための手段】
【０００５】
以上の課題を達成するために、請求項１の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出する排水路を設け、介類浮遊幼生よりも小さく吸入しない開口径の通水孔が複数形成された通水部材を排水路の吸入排水口の開放面に取り付け、断続あるいは連続での換水を行いながら飼育することを特徴とする。
【０００６】
また、請求項２の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出する排水路を設け、排水路の吸入排水口を下向きに拡開する漏斗状に形成し、介類浮遊幼生よりも小さく吸入しない開口径の通水孔が複数形成された通水部材を下向きに拡開する漏斗状の排水路の吸入排水口の開放面に取り付け、断続あるいは連続での換水を行いながら飼育することを特徴とする。
【０００７】
また、請求項３の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口の高さ調整を通じてサイホンの原理に基づき、飼育水槽内の飼育水をサイホン排水路の下流排水口から適量排水し、断続あるいは連続での換水を行いながら飼育することを特徴とする。
【０００８】
また、請求項４の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする。
【０００９】
また、請求項５の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口の高さ調整を通じてサイホンの原理に基づき、飼育水槽内の飼育水をサイホン排水路の下流排水口から適量排水し、断続あるいは連続での換水を行いながら飼育することを特徴とする。
【００１０】
また、請求項６の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下流排水口を上向きに形成し、サイホン排水路の上向きの下流排水口を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする。
【００１１】
また、請求項７の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位の高さ調整を通じてサイホンの原理に基づき、飼育水槽内の飼育水をサイホン排水路の下流排水口から適量排水し、断続あるいは連続での換水を行いながら飼育することを特徴とする。
【００１２】
また、請求項８の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、介類浮遊幼生よりも小さく吸入しない開口径の通水孔が複数形成された通水部材をサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする。
【００１３】
また、請求項９の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位の高さ調整を通じてサイホンの原理に基づき、飼育水槽内の飼育水をサイホン排水路の下流排水口から適量排水し、断続あるいは連続での換水を行いながら飼育することを特徴とする。
【００１４】
また、請求項１０の発明は、飼育水の給水路を備え浮遊期に餌を摂取して成長する介類浮遊幼生の飼育水槽に、飼育水中の吸入排水口の開放面が飼育水槽の下向き方向に開口し飼育水槽内の飼育水を上向きに排出するサイホン排水路を設け、サイホン排水路の吸入排水口を下向きに拡開する漏斗状に形成し、介類浮遊幼生よりも小さく吸入しない開口径の通水孔が複数形成された通水部材を下向きに拡開する漏斗状のサイホン排水路の吸入排水口の開放面に取り付け、飼育水槽の外部側で上向きから下向きの経路に変曲されるサイホン排水路の下向きの下流排水口を貯水槽の水面下に没し、サイホン排水路の下流排水口が没する貯水槽の水位を飼育水槽内の所定水位と同一高さに維持してサイホンの原理に基づき、給水路から供給される換水量と同量を飼育水槽からサイホン排水路の下流排水口を通じて排水し、断続あるいは連続での換水を行いながら飼育することを特徴とする。
【発明の効果】
【００１５】
請求項１、請求項３、請求項４，請求項７、請求項８の発明によれば、飼育水中の吸入排水口の開放面が飼育水槽の下向き方向に開口し飼育水槽内の飼育水を上向きに排出するので、吸入排水口では上向きの吸入力であり、下向きに作用する重力と相反するため、飼育水槽内で浮遊する介類浮遊幼生に作用する吸入排水口からの吸入力は弱められ、介類浮遊幼生が吸入排水口に吸入されることはない。しかも、吸入排水口の開放面には、介類浮遊幼生よりも小さい開口径の通水孔が複数形成された通水部材が取り付けられているので、介類浮遊幼生が吸入排水口に向けて浮遊しても、通水部材によって、吸入排水口の内部側に流入するのが阻止される。さらに、吸入排水口での吸入力は、上述したように、下向きに作用する重力と相反する上向きのため、通水部材の各通水孔に生じる吸入力は弱く、吸入排水口の付近に浮遊してきた介類浮遊幼生が、通水孔に吸着されて壊死する恐れもない。このように、微細な介類浮遊幼生を、断続あるいは連続での注水による換水を行いながら、飼育水槽内で飼育することができる。
【００１６】
また、請求項２、請求項５，請求項６、請求項９、請求項１０の発明によれば、飼育水中の吸入排水口の開放面が飼育水槽の下向き方向に開口し飼育水槽内の飼育水を上向きに排出するので、吸入排水口では上向きの吸入力であり、下向きに作用する重力と相反するため、飼育水槽内で浮遊する介類浮遊幼生に作用する吸入排水口からの吸入力は弱められ、また、吸入排水口は下向きに拡開する漏斗状に形成されているので、排水路の途中に発生する吸入力に比べて、吸入排水口での吸入力はその何分の１に弱まっている。このため、飼育水槽内で浮遊する介類浮遊幼生に作用する吸入排水口からの吸入力は更に弱められるので、介類浮遊幼生が吸入排水口に吸入されることはない。しかも、吸入排水口の開放面には、介類浮遊幼生よりも小さい開口径の通水孔が複数形成された通水部材が取り付けられているので、介類浮遊幼生が吸入排水口に向けて浮遊しても、通水部材によって、吸入排水口の内部側に流入するのが阻止される。さらに、吸入排水口での吸入力は、上述したように、吸入排水口は下向きに拡開する漏斗状に形成され、また下向きに作用する重力と相反する上向きの吸入力のため、通水部材の各通水孔に生じる吸入力は非常に弱い。このため、吸入排水口の付近に浮遊してきた介類浮遊幼生が、通水孔に吸着されて壊死する恐れもない。このように、微細な介類浮遊幼生を、断続あるいは連続での注水による換水を行いながら、飼育水槽内で飼育することができる。
【００１７】
また、請求項３〜請求項１０の発明によれば、上記の効果に加えて、サイホン排水路を使用して、サイホンの原理に基づき、飼育水槽から交換する飼育水を自然排水することができ、排水のための動力を別途必要とすることがなく、エネルギーコストを大幅に削減でき、しかも、動力を駆動しないのでゆっくりとしかも静かに行うことができ、排水時に発生する騒音により、飼育水槽内で飼育されている介類浮遊幼生にストレスを与えることなく、飼育水槽内の飼育水の交換を実現することが可能となる。
【００１８】
また、請求項１１の発明によれば、飼育水槽の底面側近くの飼育水を逐次排水することができ、飼育水槽の底面近くに交換されない飼育水が停滞するのを防ぐことができる。
【００１９】
また、請求項１２の発明によれば、介類浮遊幼生の成長に応じて通水部材に複数形成された通水孔の開口径を変更することにより、通水部材の通水孔が目詰まりするのを防ぎ、また通水抵抗を小さくして、排水効率が低下するのを回避することができる。
【図面の簡単な説明】
【００２０】
【図１】この発明を実施するための形態を示す介類浮遊幼生飼育用換水装置の構成図である。
【図２】図１の変形構成図である。
【図３】この発明を実施するための形態を示す介類浮遊幼生飼育用換水装置の他の構成図である。
【図４】この発明を実施するための形態を示す介類浮遊幼生飼育用換水装置のさらに他の構成図である。
【図５】この発明を実施するための形態を示す吸入排水口の部分斜視図である。
【発明を実施するための形態】
【００２１】
以下、図面に記載の発明を実施するための形態に基づいて、この発明をより具体的に説明する。
図１〜図４において、飼育水槽１には浮遊期に餌を摂取して成長する介類浮遊幼生が飼育されている。この飼育水槽１で飼育されている介類浮遊幼生には、二枚貝（カキ類、アカガイ類、タイラギ、アサリ，ハマグリなど）および棘皮動物（ウニ類，ナマコ類）が含まれる。
【００２２】
飼育水槽１は例えば円形水槽で、下部に向かってその直径が徐々に小さくなる逆円錐台形の形状をしていて、飼育水槽１内の飼育水中で発生した汚れや不純物などの異物が下部側に沈下し易い構造になっている。
【００２３】
この飼育水槽１の上部側には、新鮮な海水や食塩水などの飼育水を供給するための給水路２が備えられている。給水路２の給水口２１からは飼育水が飼育水槽１に断続あるいは連続での注水が行われる。給水路２の給水口２１は飼育水槽１の上部側に位置するように設けられていて、給水口２１から注水される新鮮な飼育水が飼育水槽１内に満遍なく拡散して、その下部側の底面１１側に向けてゆっくりと沈下するようになっている。
【００２４】
飼育水槽１には、サイホン排水路３（図１、図２）、サイホン排水路４（図３）あるいは排水路５（図４）が設けられている。このうち、サイホン排水路３（図１、図２）、サイホン排水路４（図３）は、サイホンの原理により、飼育水槽１の内外の水位差を利用して、飼育水槽１内の飼育水を自然排水する構造になっている。
【００２５】
これに対して、排水路５（図４）は飼育水槽１の外部にサイホン排水路が設置できない場合に使用される。排水路５を使用するときには、飼育水槽１内の飼育水を自然排水できないので、排水路５の途中に排水ポンプ５２が設けられ、この排水ポンプ５２の駆動により、飼育水槽１内の飼育水は排水される。
【００２６】
飼育水槽１の水中に設置されるサイホン排水路３（図１、図２）の吸入排水口３１、サイホン排水路４（図３）の吸入排水口４１、及び排水路５（図４）の吸入排水口５１は、その開放面３１ａ、４１ａ、５１ａが飼育水槽１の下向き方向となる底面１１側に向けてそれぞれ開口している。図１〜図４では、下向きの吸入排水口３１、吸入排水口４１、及び吸入排水口５１は、底面１１に対して少し傾いているが、真下向きつまり底面１１と平行な水平でもよい。その際に開放面３１ａ、４１ａ、５１ａが底面１１あるいは水槽内壁面に接触しないように、サイホン排水路３、サイホン排水路４、及び排水路５は図示しない支持具などで支持固定されている。
【００２７】
また、サイホン排水路３（図１、図２）の下向きの吸入排水口３１、サイホン排水路４（図３）の下向きの吸入排水口４１、及び排水路５（図４）の下向きの吸入排水口５１は、飼育水槽１内の飼育水中で発生した汚れや不純物などの異物が下部側に沈下したものを吸入排出し易いように、飼育水槽１の下部側となる底面１１の近くに設置されている。
【００２８】
サイホン排水路３（図１、図２）の吸入排水口３１、サイホン排水路４（図３）の吸入排水口４１、排水路５（図４）の吸入排水口５１は、下向き方向に開口されているので、飼育水槽１内の飼育水は吸入排水口３１、吸入排水口４１、或いは吸入排水口５１を通じて上向きに吸入されて排出されることになる。このため、介類浮遊幼生は下向きに吸入される場合に比べて、重力の作用方向と反対の上向き方向には吸入されにくくなる。
【００２９】
サイホン排水路３（図１、図２）の吸入排水口３１、サイホン排水路４（図３）の吸入排水口４１、及び排水路５（図４）の吸入排水口５１は、図５に示すような下向きに拡開する漏斗状に形成されている。このため、吸入排水口３１、４１、５１の開口面積は、その上側の途中のサイホン排水路３、サイホン排水路４、及び排水路５の開口断面積よりも数倍〜十数倍も大きい。
【００３０】
このように、吸入排水口３１、４１、５１の開口面積が大きいため、逆に、吸入排水口３１、４１、５１での吸入力は、反比例してその上側の途中のサイホン排水路３、サイホン排水路４、及び排水路５の内部での排出力の数分の１〜十数分の１と小さくなっている。このため、拡開している吸入排水口３１、４１、５１から介類浮遊幼生を吸入して排出する力は、上記の重力と反対の上向き吸入と相まって更に弱くなっている。
【００３１】
吸入排水口３１、吸入排水口４１、及び吸入排水口５１の各下向きに拡開する漏斗状の形状としては、例えば図５に示すような円錐台形状であるが、これ以外の形状として例えば釣り鐘型、楕円錐台形状など、下向き方向にその断面積が拡開する構造であれば、どのような形状でもよい。
【００３２】
なお、サイホン排水路３（図１、図２）の吸入排水口３１、サイホン排水路４（図３）の吸入排水口４１、及び排水路５（図４）の吸入排水口５１からのそれぞれの吸入力が非常に弱くて、介類浮遊幼生が吸入される恐れが全くない場合には、吸入排水口３１、吸入排水口４１、及び吸入排水口５１は下向きに拡開せずに各排水路３、４、５の途中の断面と同じストレート型もある。
【００３３】
サイホン排水路３（図１、図２）の吸入排水口３１の下向きに拡開する漏斗状（下向きに拡開しないときにはストレート型）の開放面３１ａ、サイホン排水路４（図３）の吸入排水口４１の下向きに拡開する漏斗状（下向きに拡開しないときにはストレート型）の開放面４１ａ、及び排水路５（図４）の吸入排水口５１の下向きに拡開する漏斗状（下向きに拡開しないときにはストレート型）の開放面５１ａには、それぞれ介類浮遊幼生よりも小さく吸入しない開口径の通水孔６１が複数形成された通水部材６が取り付けられている。通水部材６は各開放面３１ａ、４１ａ、５１ａを完全に覆うように取り付けられている。
【００３４】
通水部材６には、例えば開口径が非常に小さい通水孔６１を有するネットが使用される。これ以外には例えば薄い金属板の表面に、レーザーを使って非常に小さな通水孔６１を複数形成したものが、使用されることもある。何れにしても、これらに形成された通水孔６１は、介類浮遊幼生よりも小さく吸入しない開口径からなっている。
【００３５】
また、通水部材６は介類浮遊幼生の成長に応じて、通水孔６１の開口径が変更したもの、つまり開口径が順次大きいものが使用される。このため、通水部材６は各開放面３１ａ、４１ａ、５１ａに対して交換自在に取り付けられている。
【００３６】
飼育水槽１の水中に没している部分の構造は、サイホン排水路３、サイホン排水路４、及び排水路５の何れも同じである。その一方で、水面から上方に延びる他方側の構造は、サイホン排水路３、サイホン排水路４、及び排水路５の何れも異なっている。
【００３７】
すなわち、図１、図２に示すサイホン排水路３は、飼育水槽１の水中に吸入排水口３１が設置され、その他方側は上向きに延び、水面上方の飼育水槽１の外部側で上向きから下向きの経路に反転している。そこから下方に延びるサイホン排水路３の他方側は、飼育水槽１の所定の水位よりも下方の位置で下向きから上向きの経路に反転している。このように、サイホン排水路３は飼育水槽１の外側での上部下向き反転と下部上向き反転がなされ、その経路が変曲されている。
【００３８】
そして、上向きに反転したサイホン排水路３の下流排水口３２の高さは、飼育水槽１の所定の水位と同一の高さになっている。下流排水口３２は上向きに開口しており、開口する周縁からオーバフローして排出される。下流排水口３２の高さが飼育水槽１の所定の水位と同一の状態で、給水口２１から換水が供給されると、飼育水槽１の水位が上昇して下流排水口３２の高さとの高低差が生じると、サイホンの原理に基づき、その高低差に相当する換水量が飼育水槽１からサイホン排水路３を通じて、下流排水口３２の周縁からオーバフローして排出される。
【００３９】
このため、下流排水口３２の外周側には、下流排水口３２の周縁からオーバフローして排出される換水を収容する排水受け７が設けられている。この排水受け７には外部に排出する排水管７１が取り付けられている。下流排水口３２の周縁からオーバフローして排水受け７に一時的に収容された飼育水槽１からの換水は、排水管７１を通じて外部に排出される。
【００４０】
図２では図１と異なり、サイホン排水路３の下流排水口３２の高さが上下方向に調整できる構造になっている。上向きに開口する下流排水口３２は上下方向に昇降自在になっている。下流排水口３２は、上下方向に昇降する下流側排水筒３２ａの上端に形成されている。サイホン排水路３の上向きの下流側の水路の外周には円筒形の下流側排水筒３２ａが上下方向に昇降自在に外装されている。
【００４１】
下流排水口３２の外周側には、下流排水口３２の周縁からオーバフローして排出される換水を収容する排水受け７が設けられているが、下流側排水筒３２ａはその下部側がこの排水受け７の底部を貫通して一体的に取り付けられている。この排水受け７には外部に排出する排水管７１が取り付けられている。
【００４２】
下流側排水筒３２ａが一体的に取り付けられている排水受け７及び排水管７１は、高さ調整装置８により上下方向に昇降自在になっている。このように、図２では、下流排水口３２は、下流側排水筒３２ａ及び排水受け７を介して高さ調整装置８により上下方向に高さが調整される構造になっている。
【００４３】
高さ調整装置８は、昇降体８１と上下向きに配置され螺旋状にネジ山が側周面に形成された昇降軸８２から構成され、昇降体８１に上下方向に形成されたネジ孔を昇降軸８２が貫通した状態で螺合されていて、昇降軸８２が正逆回転すると螺子運動により昇降体８１が昇降する構造になっている。昇降軸８２は図示しない手動ハンドル或いはモーターなどに連結されている。モーター排水受け７はその側面が昇降する昇降体８１の側面に一体的に連結されている。このように、下流排水口３２は、下流側排水筒３２ａ及び排水受け７を介して昇降体８１に連動連結されて、昇降する構造になっている。
【００４４】
図２では、上端に下流排水口３２が形成された下流側排水筒３２ａは排水受け７を通じて昇降体８１に連結されているが、下流側排水筒３２ａと昇降体８１とを直接連結する構造でもよい。この場合には、下流側排水筒３２ａの下部側は排水受け７の底面まで延びず、下流側排水筒３２ａと排水受け７とは非連結状態になり、排水受け７は昇降しない構造になる。
【００４５】
一方、図３に示すサイホン排水路４は、飼育水槽１の水中に吸入排水口４１が設置され、その他方側は上向きに延び、水面上方の飼育水槽１の外部側で上向きから下向きの経路に反転している。そこから下方に延びるサイホン排水路４の下部側には貯水槽４３が設置されている。サイホン排水路４の下向きの下流排水口４２は、飼育水槽１の所定の水位と同じ水位の上記貯水槽４３内に没している。このように、サイホン排水路４は飼育水槽１の外側で下向き反転がなされ、その経路が変曲されている。
【００４６】
そして、下向きに反転したサイホン排水路４の下流排水口４２の高さは、飼育水槽１の所定の水位よりも低い高さになっている。下流排水口４２は下向きに開口している。サイホン排水路４の下向きの下流排水口４２が没する貯水槽４３は上向きに開口している。飼育水槽１の換水はサイホン排水路４の下流排水口４２から貯水槽４３内に排出され、上向きに開口する貯水槽４３の上端４３ａの周縁からオーバフローして排出される。
【００４７】
貯水槽４３の上向きに開口する上端４３ａの高さが飼育水槽１の所定の水位と同一の状態で、給水口２１から換水が供給されると、飼育水槽１の水位が上昇して貯水槽４３の上端の高さとの高低差が生じると、サイホンの原理に基づき、その高低差に相当する換水量が飼育水槽１からサイホン排水路３を通じて、下流排水口３２から貯水槽４３内に排出され、貯水槽４３の上端４３ａの周縁からオーバフローして排出される。
【００４８】
このため、貯水槽４３の外周側には、貯水槽４３の上端４３ａの周縁からオーバフローして排出される換水を収容する排水受け７が設けられている。この排水受け７には外部に排出する排水管７１が取り付けられている。貯水槽４３の上端４３ａの周縁からオーバフローして排水受け７に一時的に収容された飼育水槽１からの換水は、排水管７１を通じて外部に排出される。
【００４９】
図３では、貯水槽４３の上端４３ａの高さが上下方向に調整できる構造になっている。上向きに開口する貯水槽４３は上下方向に昇降自在になっている。貯水槽４３は排水受け７に支持部材４３ｂにより支持されている。貯水槽４３が支持されている排水受け７及び排水管７１は、高さ調整装置８により上下方向に昇降自在になっている。このように、図３では、貯水槽４３は、下流側排水筒３２ａ及び排水受け７を介して高さ調整装置８により上下方向に高さが調整される構造になっている。
【００５０】
高さ調整装置８は、既に述べた構造と全く同一構造になっている。即ち、高さ調整装置８は、昇降体８１と上下向きに配置され螺旋状にネジ山が側周面に形成された昇降軸８２から構成され、昇降体８１に上下方向に形成されたネジ孔を昇降軸８２が貫通した状態で螺合されていて、昇降軸８２が正逆回転すると螺子運動により昇降体８１が昇降する構造になっている。昇降軸８２は図示しない手動ハンドル或いはモーターなどに連結されている。モーター排水受け７はその側面が昇降する昇降体８１の側面に一体的に連結されている。そして、貯水槽４３は、支持部材４３ｂ及び排水受け７を介して昇降体８１に連動連結されて、昇降する構造になっている。
【００５１】
図３では、貯水槽４３は支持部材４３ｂ及び排水受け７を通じて昇降体８１に連結されているが、貯水槽４３と昇降体８１とを直接連結する構造でもよい。この場合には、支持部材４３ｂは省略され、貯水槽４３と排水受け７とは非連結状態になり、排水受け７は昇降しない構造になる。また、貯水槽４３を昇降しない構造にする場合には、高さ調整装置８は省略され、支持部材４３ｂにより排水受け７に支持される。
【００５２】
図４に示す排水路５は、既に触れたように、飼育水槽１の外部にサイホン排水路が設置できない場合に使用される。飼育水槽１の水中に排水路５の吸入排水口５１が設置され、その他方側は上向きに延び、水面上方で飼育水槽１の外部側に配設されている。排水路５を使用するときには、飼育水槽１内の飼育水を自然排水できないので、排水路５の途中に排水ポンプ５２が設けられ、この排水ポンプ５２の駆動により、飼育水槽１内の換水は吸入排水口５１から強制的に吸引されて排水路５を流れて外部に排水される。
【００５３】
次に、上記発明を実施するための形態の構成に基づく作用について以下説明する。
図１、図２に示す構造のサイホン排水路３が飼育水槽１に設置されている場合において、給水路２の給水口２１から飼育水槽１内への飼育水の供給と同時に、飼育水槽１内の換水を始めたいときには、サイホン排水路３の下流排水口３２の高さと飼育水槽１内の水面の所定の水位高さを一致させておく。
【００５４】
図２に示す構造のサイホン排水路３にあっては、図示しない手動ハンドルを回し、或いはモーターの駆動により、高さ調整装置８を可動させて、サイホン排水路３の下流排水口３２の高さを容易に調整することができる。
【００５５】
給水路２の給水口２１から新鮮な飼育水が飼育水槽１内に供給されると、飼育水は飼育水槽１の上部側で全体に拡散して、その間に新鮮な飼育水には汚れや不純物などの異物が含まれながら、底面１１側に向かってゆっくりと沈下していく。
【００５６】
一方、飼育水の飼育水槽１内への供給に伴い、飼育水槽１の水位が上昇して、下流排水口３２の水位との間に水位の高低差が生じ始めると同時に、サイホンの原理に基づき、その高低差を解消するために、サイホン排水路３の吸入排水口３１から飼育水槽１内の飼育水が吸入され始める。
【００５７】
吸入排水口３１は下向きに拡開する漏斗状に形成されているので、サイホン排水路３の途中に発生する吸入力に比べて、吸入排水口３１での吸入力はその何分の１にも弱まっている。しかも、吸入排水口３１では上向きの吸入力であり、下向きに作用する重力と相反するため、飼育水槽１内で浮遊する介類浮遊幼生に作用する吸入排水口３１からの吸入力は更に弱められるので、介類浮遊幼生が吸入排水口３１に吸入されることはない。
【００５８】
また、吸入排水口３１の開放面３１ａには、介類浮遊幼生よりも小さい開口径の通水孔６１が複数形成された通水部材６が取り付けられているので、誤って、介類浮遊幼生が吸入排水口３１に向けて浮遊していても、通水部材６によって、吸入排水口３１の内部側に流入するのが阻止される。
【００５９】
さらに、吸入排水口３１での吸入力は、上述したように、吸入排水口３１は下向きに拡開する漏斗状に形成され、しかも下向きに作用する重力と相反する上向きの吸入力のため、通水部材６の各通水孔６１に生じる吸入力は非常に弱い。このため、誤って、吸入排水口３１の付近に浮遊してきた介類浮遊幼生が、通水孔６１に吸着されて壊死する恐れもない。
【００６０】
吸入排水口３１からサイホン排水路３の内部に吸入された異物などを含んだ飼育水は、サイホンの原理に基づき、サイホン排水路３の内部をゆっくりと上昇して、飼育水槽１の上方でその向きを下向きに反転して下降し、飼育水槽１の水面よりも低い位置で再び上向きに反転してサイホン排水路３の下流排水口３２まで上昇する。下流排水口３２まで上昇した異物などを含んだ飼育水は、下流排水口３２の開口周縁からオーバフローして、その外周側の排水受け７内に落下し、排水管７１から外部に排出される。
【００６１】
異物などを含んだ飼育水が飼育水槽１内からサイホン排水路３を通じて外部に排出されるこの一連の動作は、サイホンの原理に基づき行われるため、排水のための動力を要求されることもなく、また、ゆっくりとしかも静かに行われ、飼育水槽１内で飼育されている介類浮遊幼生にストレスを与えることなく、飼育水槽１内の換水を実現することが可能となる。
【００６２】
また、断続あるいは連続での飼育水槽１内の換水を行いたい場合には、給水路２から給水を断続あるいは連続で行うことで対処できる。さらに、給水路２から給水を連続で行う一方で、サイホン排水路３の下流排水口３２の高さを調整することで、換水の断続も可能である。つまり、サイホン排水路３の下流排水口３２の高さを飼育水槽１の水面よりも高くしておくと、飼育水槽１内の飼育水はサイホン排水路３の下流排水口３２から排出されず、給水路２から給水を続けながら断続状態を維持できるからである。
【００６３】
図３に示す構造のサイホン排水路４が飼育水槽１に設置されている場合において、給水路２の給水口２１から飼育水槽１内への飼育水の供給と同時に、飼育水槽１内の換水を始めたいときには、サイホン排水路４の下向きの下流排水口４２が没入する貯水槽４３の上端４３ａの高さと飼育水槽１内の水面の所定の水位高さを一致させておく。
【００６４】
この高さ調整作業は、図示しない手動ハンドルを回し、或いはモーターの駆動により、高さ調整装置８を可動させることで、サイホン排水路４の下向きの下流排水口４２が没入する貯水槽４３の上端４３ａの高さを容易に調整することができる。
【００６５】
給水路２の給水口２１から新鮮な飼育水が飼育水槽１内に供給されると、飼育水は飼育水槽１の上部側で全体に拡散して、その間に新鮮な飼育水には汚れや不純物などの異物が含まれながら、底面１１側に向かってゆっくりと沈下していく。
【００６６】
一方、飼育水の飼育水槽１内への供給に伴い、飼育水槽１の水位が上昇して、貯水槽４３の上端４３ａの水位との間に水位の高低差が生じ始めると同時に、サイホンの原理に基づき、その高低差を解消するために、サイホン排水路４の吸入排水口４１から飼育水槽１内の飼育水が吸入され始める。
【００６７】
吸入排水口４１は下向きに拡開する漏斗状に形成されているので、サイホン排水路４の途中に発生する吸入力に比べて、吸入排水口４１での吸入力はその何分の１にも弱まっている。しかも、吸入排水口４１では上向きの吸入力であり、下向きに作用する重力と相反するため、飼育水槽１内で浮遊する介類浮遊幼生に作用する吸入排水口４１からの吸入力は更に弱められるので、介類浮遊幼生が吸入排水口４１に吸入されることはない。
【００６８】
また、吸入排水口４１の開放面４１ａには、介類浮遊幼生よりも小さい開口径の通水孔６１が複数形成された通水部材６が取り付けられているので、誤って、介類浮遊幼生が吸入排水口４１に向けて浮遊しても、通水部材６によって、吸入排水口４１の内部側に流入するのが阻止される。
【００６９】
さらに、吸入排水口４１での吸入力は、上述したように、吸入排水口４１は下向きに拡開する漏斗状に形成され、しかも下向きに作用する重力と相反する上向きの吸入力のため、通水部材６の各通水孔６１に生じる吸入力は非常に弱い。このため、誤って、吸入排水口４１の付近に浮遊してきた介類浮遊幼生が、通水孔６１に吸着されて壊死する恐れもない。
【００７０】
吸入排水口４１からサイホン排水路４の内部に吸入された異物などを含んだ飼育水は、サイホンの原理に基づき、サイホン排水路４の内部をゆっくりと上昇して、飼育水槽１の上方でその向きを下向きに反転し下降し、飼育水槽１の水面よりも低い位置の下流排水口４２から貯水槽４３の内部に排出される。貯水槽４３の内部に排出された飼育水は、貯水槽４３の上端４３ａまで上昇する。貯水槽４３の上端４３ａまで上昇した異物などを含んだ飼育水は、その開口周縁からオーバフローして、その外周側の排水受け７内に落下し、排水管７１から外部に排出される。
【００７１】
異物などを含んだ飼育水が飼育水槽１内からサイホン排水路４を通じて外部に排出されるこの一連の動作は、サイホンの原理に基づき行われるため、排水のための動力を要求されることもなく、また、ゆっくりとしかも静かに行われ、飼育水槽１内で飼育されている介類浮遊幼生にストレスを与えることなく、飼育水槽１内の換水を実現することが可能となる。
【００７２】
また、断続あるいは連続での飼育水槽１内の換水を行いたい場合には、給水路２から給水を断続あるいは連続で行うことで対処できる。さらに、給水路２から給水を連続で行う一方で、サイホン排水路４の下向きの下流排水口４２が没入している貯水槽４３の上端４３ａの高さを調整することで、換水の断続も可能となる。つまり、サイホン排水路４の下流排水口４２が没入している貯水槽４３の上端４３ａの高さを飼育水槽１の水面よりも高くしておくと、飼育水槽１内の飼育水はサイホン排水路４の下流排水口４２から貯水槽４３内には排出されず、給水路２から給水を続けながら断続状態を維持できるからである。
【００７３】
図４に示す構造の排水路５が飼育水槽１に設置されている場合において、給水路２の給水口２１から飼育水槽１内に飼育水を供給して、飼育水槽１内の換水を始めたいときには、飼育水槽１の外部側の排水路５の途中に設けられている排水ポンプ５２を駆動させる。
【００７４】
給水路２の給水口２１から新鮮な飼育水が飼育水槽１内に供給されると、飼育水は飼育水槽１の上部側で全体に拡散して、その間に新鮮な飼育水には汚れや不純物などの異物が含まれながら、底面１１側に向かってゆっくりと沈下していく。
【００７５】
一方、排水ポンプ５２の駆動により、排水路５の吸入排水口５１から飼育水槽１内の飼育水が吸入され始める。このとき排水ポンプ５２による排出量は給水路２からの供給量と同じになるように制御されている。
【００７６】
吸入排水口５１は下向きに拡開する漏斗状に形成されているので、排水路５の途中に発生する吸入力に比べて、吸入排水口５１での吸入力はその何分の１にも弱まっている。しかも、吸入排水口５１では上向きの吸入力であり、下向きに作用する重力と相反するため、飼育水槽１内で浮遊する介類浮遊幼生に作用する吸入排水口５１からの吸入力は更に弱められるので、介類浮遊幼生が吸入排水口５１に吸入されることはない。
【００７７】
また、吸入排水口５１の開放面５１ａには、介類浮遊幼生よりも小さい開口径の通水孔６１が複数形成された通水部材６が取り付けられているので、誤って、介類浮遊幼生が吸入排水口５１に向けて浮遊しても、通水部材６によって、吸入排水口５１の内部側に流入するのが阻止される。
【００７８】
さらに、吸入排水口５１での吸入力は、上述したように、吸入排水口５１は下向きに拡開する漏斗状に形成され、しかも下向きに作用する重力と相反する上向きの吸入力のため、通水部材６の各通水孔６１に生じる吸入力は非常に弱い。このため、誤って、吸入排水口５１の付近に浮遊してきた介類浮遊幼生が、通水孔６１に吸着されて壊死する恐れもない。
【００７９】
吸入排水口５１から排水路５の内部に吸入された異物などを含んだ飼育水は、排水ポンプ５２の駆動により、排水路５の内部をゆっくりと上昇して、飼育水槽１の上方を経由して外部に排出される。
【実施例１】
【００８０】
マガキ浮遊幼生の種苗生産効率の向上を目的として、本発明装置を用いた量産を行なった。装置としては、吸入排水口が下向きに拡開する漏斗状に形成されたものを使用し、サイホンの原理に基づき、飼育水の交換をおこなった。
飼育は2013年3月31日から9月10日の163日間行った。飼育開始時の飼育密度は3個体/mlとし、飼育水槽は500リットル円形水槽を用いた。餌料藻はC .calcitrans，C .gracilisを用いた。給餌量はC. calcitransは  10,000〜150,000細胞/ml・日、C .gracilis  は10,000〜300,000細胞/ml・日を給餌し、水温は25.0〜26.5℃とした。換水は本発明装置を用いて120リットル/日を交換した。マガキ浮遊幼生よりも小さく吸入しない開口径の通水孔が複数形成された通水部材としてオープニング40μｍ、60μm、80μm、120μｍのプランクトンネットを装着した通水部品を作成し、介類浮遊幼生の成長に応じて交換して用いた。通水部材の交換は、マガキ浮遊幼生が殻長100μm前後までは40μｍ、殻長100〜120μｍまでは60μm、殻長120〜200μmまでは80μm、殻長200μm以上では120μmのオープニング素材で作成した通水部材を用いた。
着底期幼生は日齢14から出現し日齢16までに着底が終了した。生産数は約7万個体/槽であった。
【実施例２】
【００８１】
アコヤガイ浮遊幼生の種苗生産効率の向上を目的として、本発明装置を用いた量産を行なった。装置としては、吸入排水口が下向きに拡開する漏斗状に形成されたものを使用し、サイホンの原理に基づき、飼育水の交換をおこなった。
飼育は2013年2月6日から7月10日の154日間行った。飼育開始時の飼育密度は3個体/mlとし、飼育水槽は500リットル円形水槽を用いた。餌料藻はC .calcitrans，C .gracilisを用いた。給餌量はC. calcitransは10,000〜150,000細胞/ml・日、C .gracilis  は10,000〜300,000細胞/ml・日を給餌し、水温は20.0〜22.0℃とした。換水は本発明装置を用いて120リットル/日を交換した。アコヤガイ浮遊幼生よりも小さく吸入しない開口径の通水孔が複数形成された通水部材としてオープニング40μｍ、60μm、80μm、120μｍのプランクトンネットを装着した通水部品を作成し、介類浮遊幼生の成長に応じて交換して用いた。通水部材の交換は、アコヤガイ浮遊幼生が殻長100μm前後までは40μｍ、殻長100〜120μｍまでは60μm、殻長120〜200μmまでは80μm、殻長200μm以上では120μmのオープニング素材で作成した通水部材を用いた。
着底期幼生は日齢17から出現し日齢24までに着底が終了した。生産数は約30万個体/槽であった。
【産業上の利用可能性】
【００８２】
本発明は、他の貝類人工種苗（カキ類、アカガイ類、アサリ、ハマグリおよびアコヤガイ）およびウニ類（アカウニ、ムラサキウニ、バフンウニ、シラヒゲウニ、エゾバフンウニ、キタムラサキウニ）にも応用可能で、これらの安定生産を可能とし、水産業における増養殖分野（養殖業および栽培漁業）において貢献度が高い。
【符号の説明】
【００８３】
１    飼育水槽
１１    底面
２    給水路
２１    給水口
３    サイホン排水路
３１    吸入排水口
３１ａ  開放面
３２    下流排水口
３２ａ  下流側排水筒
４    サイホン排水路
４１    吸入排水口
４１ａ  開放面
４２    下流排水口
４３    貯水槽
４３ａ  上端
４３ｂ  支持部材
５    排水路
５１    吸入排水口
５１ａ  開放面
５２    排水ポンプ
６    通水部材
６１    通水孔
７    排水受け
７１    排水管
８    高さ調整装置
８１    昇降体
８２    昇降軸
【図１】
2016182073.tif 000003
【図２】
2016182073.tif 000004
【図３】
2016182073.tif 000005
【図４】
2016182073.tif 000006
【図５】
2016182073.tif 000007